(57)【特許請求の範囲】
【請求項１】
主記録媒体に記録された情報の再生信号を高速再生する再生手段と、
上記再生手段により再生された再生信号を一時的に記録する再生側副記録手段と、
上記再生側副記録手段に一時的に記録された再生信号を所定時間後に再生処理を施して出力信号として出力する再生処理手段と、
入力信号に記録処理を施して記録信号として出力する記録処理手段と、
上記記録処理が施された記録信号を一時的に記録する記録側副記録手段と、
上記記録側副記録手段に一時的に記録された記録信号を所定時間後に主記録媒体に高速記録する記録手段と、を備え、
上記記録側副記録手段には、上記再生側副記録手段に一時的に記録された上記再生信号を、上記記録信号に替えてまたは上記記録信号と共に記録すべき信号として一時的に記録し、
上記記録手段による上記主記録媒体への上記記録すべき信号の高速記録より前に、上記再生信号の終了点から続く所定時間分の再生信号を上記主記録媒体から再生手段により高速再生し、上記再生側副記録手段に一時的に記録して、上記記録側副記録手段を介して上記記録手段により上記主記録媒体上で編集するようにしたことを特徴とする記録再生装置。
【請求項２】
請求項１記載の記録再生装置において、
上記再生側副記録手段への一時的記録のための上記再生手段による再生信号の高速再生、および上記記録側副記録手段に一時的に記録された記録信号の記録手段による主記録媒体への高速記録はそれぞれ標準速度の２倍を超えるものであることを特徴とする記録再生装置。
【請求項３】
請求項１記載の記録再生装置において、
上記編集のための上記再生手段による上記再生信号の位相と上記記録手段による上記記録すべき信号の位相との調相を、上記再生側副記録手段および上記記録側副記録手段からの上記再生信号および上記記録すべき信号の読み出しタイミングで行うことを特徴とする記録再生装置。
【請求項４】
請求項１記載の記録再生装置において、
上記再生側副記録手段に対して再生信号を出力または入力する入出力端子、または上記記録側副記録手段に対して記録信号を入力または出力する入出力端子を設けることを特徴とする記録再生装置。
【請求項５】
請求項１記載の記録再生装置において、
上記再生側副記録手段および上記記録側副記録手段は第１の記録領域および第２の記録領域をそれぞれ有し、上記再生信号および上記再生信号の終了点から続く所定時間分の情報の再生信号をそれぞれ記録することを特徴とする記録再生装置。
【請求項６】
主記録媒体に記録された情報の再生信号を高速再生する再生ステップと、
上記再生ステップにより再生された再生信号を一時的に記録する再生側副記録ステップと、
上記再生側副記録ステップに一時的に記録された再生信号を所定時間後に再生処理を施して出力信号として出力する再生処理ステップと、
入力信号に記録処理を施して記録信号として出力する記録処理ステップと、
上記記録処理が施された記録信号を一時的に記録する記録側副記録ステップと、
上記記録側副記録ステップに一時的に記録された記録信号を所定時間後に主記録媒体に高速記録する記録ステップと、を備え、
上記記録側副記録ステップには、上記再生側副記録ステップに一時的に記録された上記再生信号を、上記記録信号に替えてまたは上記記録信号と共に記録すべき信号として一時的に記録し、
上記記録ステップによる上記主記録媒体への上記記録すべき信号の高速記録より前に、上記再生信号の終了点から続く所定時間分の再生信号を上記主記録媒体から再生手段により高速再生し、上記再生側副記録手段に一時的に記録して、上記記録側副記録ステップを介して上記記録ステップにより上記主記録媒体上で編集するようにしたことを特徴とする記録再生方法。
【請求項７】
請求項６記載の記録再生方法において、
上記再生側副記録ステップへの一時的記録のための上記再生ステップによる再生信号の高速再生、および上記記録側副記録ステップに一時的に記録された記録信号の記録ステップによる主記録媒体への高速記録はそれぞれ標準速度の２倍を超えるものであることを特徴とする記録再生方法。
【請求項８】
請求項６記載の記録再生方法において、
上記編集のための上記再生ステップによる上記再生信号の位相と上記記録ステップによる上記記録すべき信号の位相との調相を、上記再生側副記録ステップおよび上記記録側副記録ステップからの上記再生信号および上記記録すべき信号の読み出しタイミングで行うようにしたことを特徴とする記録再生方法。
【請求項９】
請求項６記載の記録再生方法において、
上記再生側副記録ステップに対して再生信号を出力または入力し、または上記記録側副記録ステップに対して記録信号を入力または出力するようにしたことを特徴とする記録再生方法。
【請求項１０】
請求項６記載の記録再生方法において、
上記再生側副記録ステップおよび上記記録側副記録ステップは第１の記録領域および第２の記録領域をそれぞれ有し、上記再生信号および上記再生信号の終了点から続く所定時間分の情報の再生信号をそれぞれ記録するようにしたことを特徴とする記録再生方法。
【発明の詳細な説明】
【０００１】
【発明の属する技術分野】
本発明は、記録再生方法及び記録再生装置に関し、例えばビデオテープレコーダー（以下、「ＶＴＲ」という。）におけるプリリード編集に適用することができる。
【０００２】
【従来の技術】
現在の放送用ディジタルＶＴＲでは、編集機能を高めるためや簡易編集用として、プリリード編集を行っている。このプリリード編集は、記録ヘッドより前に磁気テープをトレースするように回転ドラム上に配置されたプリリードヘッドにより再生した音声や画像信号の情報に別のデータをミックスして、現在位置にある記録ヘッドにより元の磁気テープ上の位置に戻すようにして記録するものである。
【０００３】
従来のアナログＶＴＲでは一般に１フレーム分のデータがテープ上の２または４トラックに記録されるテープフォーマットとなっており、データ量が少なくなっていた。しかも、映像および音声共に記録再生のための信号処理時間がごくわずかなために、先行する位置にプリリードヘッドを設ける場合に、プリリードヘッドの記録ヘッドに対する先行量は少なく、プリリード編集の実現は容易であった。
【０００４】
一方、最近のディジタル記録方式においては、１フレームが２０トラック以上に及ぶ場合がある。また、これに加えて、テープ幅が狭いテープフォーマットとなっていること、記録再生のための信号処理時間がフレーム単位でかかるため、プリリードヘッドの記録ヘッドに対する先行量は１００トラックを超える場合がある。
【０００５】
なお、本出願人は先に、通常の転送速度のｎ倍（ｎ≧１）の転送速度の入力情報をバッファリング手段でバッファリングし、バッファリング手段からの通常の転送速度のｎ倍の転送速度の入力情報に記録のための信号処理を記録信号処理手段で施し、記録信号処理手段からの記録信号処理済みの出力を、通常の走行速度のｎ倍の走行速度で走行する記録媒体に対し、通常の回転速度のｎ倍の回転速度で回転する回転ドラムに搭載された通常の個数のヘッドにより通常の記録速度のｎ倍の記録速度で記録を行うことにより、ｎを大きくすればするほど記録速度を早くすることができる記録装置を提案している（特願平７−１５３２号）。
【０００６】
また、本出願人は先に、記録すべき入力映像および音声信号を主記録媒体の編集点から記録する場合は、記録すべき入力映像および音声信号に記録のための信号処理を施した後に、一旦主記録媒体よりもアクセス速度の速い補助記録媒体に記録し、主記録媒体を再生し、この主記録媒体を再生して得られる主記録媒体上の位置情報に基づいて、補助記録媒体から補助記録媒体上の編集点から記録すべき入力映像および音声信号を読み出すタイミングを得、主記録媒体の位置が主記録媒体上における編集点となったときに、タイミングに基づいて、補助記録媒体から記録すべき入力映像および音声信号を読み出し、主記録媒体に記録することによって、主記録媒体上に記録されている位置情報から、主記録媒体上の編集点を検出された場合には、補助記録媒体から入力映像および音声信号が読み出され、読み出された入力映像および音声信号が主記録媒体に記録される記録再生方法を提案している（特願平７−２８３７７号）。
【０００７】
【発明が解決しようとする課題】
上述したようにプリリードヘッドの記録ヘッドに対する先行量１００トラックを超えるような場合では、プリリードヘッドと後方に配置された記録ヘッドの双方が磁気テープ上のトラックを正確にトレースすることが極度に難しく、このため上述した先願によってもプリリード編集を行うテープ編集装置を実現することは困難であったという不都合がある。
【０００８】
本発明は以上の点を考慮してなされたもので、プリリードヘッドの記録ヘッドに対する先行量にかかわらず、容易にプリリード編集を行うことができる記録再生方法及び記録再生装置を提案しようとするものである。
【０００９】
【課題を解決するための手段】
かかる課題を解決するため本発明の記録再生装置は、主記録媒体に記録された情報の再生信号を高速再生する再生手段と、上記再生手段により再生された再生信号を一時的に記録する再生側副記録手段と、上記再生側副記録手段に一時的に記録された再生信号を所定時間後に再生処理を施して出力信号として出力する再生処理手段と、入力信号に記録処理を施して記録信号として出力する記録処理手段と、上記記録処理が施された記録信号を一時的に記録する記録側副記録手段と、上記記録側副記録手段に一時的に記録された記録信号を所定時間後に主記録媒体に高速記録する記録手段とを備え、上記記録側副記録手段には、上記再生側副記録手段に一時的に記録された上記再生信号を、上記記録信号に替えてまたは上記記録信号と共に記録すべき信号として一時的に記録し、上記記録手段による上記主記録媒体への上記記録すべき信号の高速記録より前に、上記再生信号の終了点から続く所定時間分の再生信号を上記主記録媒体から再生手段により高速再生し、上記再生側副記録手段に一時的に記録して、上記記録側副記録手段を介して上記記録手段により上記主記録媒体上で編集するようにしたものである。
【００１０】
また、本発明の記録再生方法は、主記録媒体に記録された情報の再生信号を高速再生する再生ステップと、上記再生ステップにより再生された再生信号を一時的に記録する再生側副記録ステップと、上記再生側副記録ステップに一時的に記録された再生信号を所定時間後に再生処理を施して出力信号として出力する再生処理ステップと、入力信号に記録処理を施して記録信号として出力する記録処理ステップと、上記記録処理が施された記録信号を一時的に記録する記録側副記録ステップと、上記記録側副記録ステップに一時的に記録された記録信号を所定時間後に主記録媒体に高速記録する記録ステップとを備え、上記記録側副記録ステップには、上記再生側副記録ステップに一時的に記録された上記再生信号を、上記記録信号に替えてまたは上記記録信号と共に記録すべき信号として一時的に記録し、上記記録ステップによる上記主記録媒体への上記記録すべき信号の高速記録より前に、上記再生信号の終了点から続く所定時間分の再生信号を上記主記録媒体から再生手段により高速再生し、上記再生側副記録手段に一時的に記録して、上記記録側副記録ステップを介して上記記録ステップにより上記主記録媒体上で編集するようにしたものである。
【００１１】
本発明の記録再生装置によれば、以下の作用をする。
編集動作を開始すると、主記録媒体において所定時間分をスキャンして高速再生を行い、再生側副記録手段のバンク１に高速書き込みを行う。この高速書き込みの遅延時間後に所定時間分の実時間かかって実時間再生されて記録処理手段で所定時間分の記録データ生成が行われる。記録処理手段においてこのデータと入力データとの加工である再生出力記録フィードバックが行われた後、遅延時間を経て記録側副記録手段のバンク１に実時間書き込みが行われる。
【００１２】
一方、主記録媒体において所定時間分の終了点から続く他の所定時間分の高速再生を行い、再生側副記録手段のバンク２に高速書き込みを行う。この高速書き込みの遅延時間後にバンク１の所定時間分の実時間再生に続いて他の所定時間分の実時間かかって実時間再生がされて記録処理手段で所定時間分のデータが生成された後はバンク１からバンク２へ切り換えて他の所定時間分の記録データ生成が行われる。
【００１３】
主記録媒体において他の所定時間までスキャンした後、所定時間の先頭のプリロール点へ戻り、所定時間の先頭へ向けて記録調相をし、記録側副記録手段のバンク１の所定時間分の高速読みだしを行い、主記録媒体において所定時間分の高速記録を行う。すなわち、記録側副記録手段の１ブロックサイズ分だけ遅れてデータが記録されることが分かる。
【００１４】
主記録媒体において所定時間の終了まで記録した後、再生側副記録手段のバンク１のデータ入力待機のため、他の所定時間の終了のプリロール点に向けてスキャンし、他の所定時間の終了点から続くさらに他の所定時間分から再生側副記録手段の１ブロックサイズ分進んだ終了点までを高速再生して、再生側副記録手段のバンク１へ高速書き込みを行う。その後、主記録媒体において所定時間の終了点のプリロール点に向かってスキャンし、実時間再生の後に記録側副記録手段のバンク２に他の所定時間の実時間書き込みを行い、記録側副記録手段のバンク２の他の所定時間の高速読みだしを行い、主記録媒体において他の所定時間の高速記録を行う。
【００１５】
【発明の実施の形態】
以下、適宜図面を参照しながら本発明の実施の形態を詳述する。
本実施の形態の記録再生方法及び記録再生装置は、プリリードヘッドの記録ヘッドに対する先行量にかかわらず、容易にプリリード編集を行うことができるものである。
【００１６】
このプリリード編集は、記録ヘッドより前に磁気テープをトレースするように回転ドラム上に配置されたプリリードヘッドにより再生した音声や画像信号の情報に別のデータをミックスして、現在位置にある記録ヘッドにより元の磁気テープ上の位置に戻すようにして記録するものである。
【００１７】
これと似たような代表的な処理として、ディジタルオーディオの編集で、オーディオ信号のつなぎ目の処理を行わないとつなぎ目が雑音になって聞こえるので、これを防ぐためつなぎ目でクロスフェード処理と呼ばれる既録音の音と入力する音の間でつなぎ目をなくす演算処理を施す。この場合、クロスフェード処理を施すためには、既録音の音を記録ヘッドの位置より手前で読み出している必要があるのである。
【００１８】
図１に本実施の形態のプリリード編集が可能な記録再生装置のブロック図を示す。
図１において、再生系では、主記録媒体２に記録されたヘリカルトラックをプリリードヘッドにより先行量ｑだけ記録ヘッドよりも先行してトレースして、再生されたデータは再生プロセス３に供給される。再生プロセス３は、ディジタル処理の記録系における記録媒体での再生エラーなどを考慮したスクランブルやシャフリングと呼ばれるデータの拡散操作をもとに戻すデスクランブやデシャフリングが行われる。拡散されたままでは記録系におけるデータの加工は困難なためこの動作が必要となる。この再生プロセス３の拡散を戻すための遅延時間をｎとする。
【００１９】
再生プロセス３ではさらにｐの遅延時間をかけてデータをエラー訂正して完全な出力形態にして出力Ｏとして出力する。
遅延時間ｎを経て拡散が解かれたデータは加工のできる形になって記録プロセス１に再生出力として供給される。
【００２０】
一方、記録プロセス１では、入力Ｉのデータが再生系から供給される再生出力と加工のできる形に揃えられるまでｍの遅延時間を経る。ここで入力データは再生出力のデータと加工されて遅延時間ｌだけかかって再び記録プロセスにより拡散操作が行われ、主記録媒体２に記録される。
上述したような記録再生系における主記録媒体上の記録ヘッドに対するプリリードヘッドの先行量ｑはｌ＋ｎだけ必要ということが分かる。
【００２１】
次に図２に本実施の形態の記録再生装置のブロック図を示す。
図２が図１と異なる点は記録プロセス１と主記録媒体２との間に第２記録媒体（記録ブロック）４、主記録媒体２と再生プロセス３との間に第２記録媒体（再生ブロック）５を配置している点である。
【００２２】
そして、第２記録媒体（記録ブロック）４および第２記録媒体（再生ブロック）５と主記録媒体２との間は通常の転送に要する実時間の２倍以上の速度でアクセスできるようになっていて、実時間の編集より短い時間で主記録媒体２にデータを転送することができる。このためにできた実時間に対しての空き時間を利用して主記録媒体２を記録ヘッドおよび再生ヘッドであるプリリードヘッドがスキャンしている位置を移動させてプリリードのための時間を稼ぐようにしている。
【００２３】
図３は本実施の形態の主記録媒体と第２記録媒体とのインターフェースを示す図である。以下、図３に従ってその動作を説明する。
いま、主記録媒体上のＡ点を編集開始点、Ｂ点を編集終了点として、Ａ点からＣ点までをプリリード編集する。ここで、第２記録媒体の記録容量のサイズは再生側および記録側ともＡ点からＢ点までの１ブロックサイズの２倍で２バンク構成になっている。なお、Ａ点から見てＢ点はＣ点よりも手前である。
【００２４】
編集動作を開始すると、図３Ｂで示す主記録媒体においてＡ点からＢ点をスキャンして高速再生１３を行い、図３Ｃに示す第２記録媒体の再生ブロックのバンク１に高速書き込み１４を行う。この高速書き込み１４の遅延時間ｎ後にＡ点からＢ点までの実時間かかって実時間再生１５されて図２に示した記録プロセス１でＡ点からＢ点までの記録データ生成２１が行われる。記録プロセス１においてこのデータと入力データとの加工である再生出力記録フィードバック１６が行われた後、遅延時間ｌを経て図３Ｄに示す第２記録媒体の記録ブロックのバンク１に実時間書き込み１７が行われる。
【００２５】
一方、図３Ｂに示す主記録媒体において図３Ａで示す実時刻Ｂ点から再び高速でスキャンしてＣ点を超えて第２記録媒体の記録容量サイズ分のＤ点まで高速再生１８を行い、図３Ｃに示す第２記録媒体の再生ブロックのバンク２に高速書き込み１９を行う。この高速書き込み１９の遅延時間ｎ後にバンク１のＡ点からＢ点までの実時間再生１５に続いてＢ点からＤ点までの実時間かかって実時間再生２０がされて図２に示した記録プロセス１でＡ点からＢ点までのデータが生成された後はバンク１からバンク２へ切り換えてＢ点からＤ点までの記録データ生成２１が行われる。
【００２６】
図３Ｂに示す主記録媒体においてＤ点までスキャンした後、Ａ点のプリロール点へ戻り、Ａ点へ向けて記録調相をし、図３Ｄに示す第２記録媒体の記録ブロックのバンク１のＡ点からＢ点までの高速読みだし２２を行い、図３Ｂに示す主記録媒体においてＡ点からＢ点までの高速記録２３を行う。すなわち、第２記録媒体の１ブロックサイズ分だけ遅れてデータが記録されることが分かる。
【００２７】
図３Ｂに示す主記録媒体においてＢ点まで記録した後、図３Ｃに示す第２記録媒体の再生ブロックのバンク１のデータ入力待機のため、Ｄ点のプリロール点に向けてスキャンし、Ｄ点からから第２記録媒体の１ブロックサイズ分進んだＥ点までを高速再生して、図３Ｃに示す第２記録媒体の再生ブロックのバンク１へ高速書き込みを行う。その後、図３Ｂに示す主記録媒体においてＢ点のプリロール点に向かってスキャンし、実時間再生２０の後に図３Ｄに示す第２記録媒体の記録ブロックのバンク２にＢ点からＣ点までの実時間書き込み２４を行い、図３Ｄに示す第２記録媒体の記録ブロックのバンク２のＢ点からＣ点までの高速読みだし２５を行い、図３Ｂに示す主記録媒体においてＢ点からＣ点までの高速記録２６を行う。
【００２８】
上述した動作を考慮すると、この場合には、第２記録媒体の２ブロックサイズにおけるプリロールに要する時間の４倍の実時間分に相当するメモリを４バンク設けることによって、上述した動作を繰り返すことにより、限られたメモリサイズでもスキャン時間を確保して長い間隔のプリリード編集が可能になる。
【００２９】
以下に、具体的な実施の形態として、ディジタルＶＴＲを用いた編集装置について説明する。
図４は、通常のディジタルＶＴＲの構成を示すブロック図である。
図４において、記録系では、入力ビデオＩＶおよび入力オーディオＩＡに対して各フォーマットに従ってビデオエンコード処理回路３０およびオーディオエンコード処理回路３１によりエンコード処理を施し、生成されたデータ列をある単位毎に区切ってその単位に復調が可能になるようエラー訂正パリティ付加回路３２によりエラー訂正用のパリティを付加して回転ドラム３３の記録ヘッドにより磁気テープ上に記録する。
【００３０】
逆に、再生系では、磁気テープより回転ドラム３３上の再生ヘッドがデータを再生し、エラー訂正回路３４によりエラー訂正の処理を行ってビデオデコード処理回路３５およびオーディオデコード処理回路３６によりデコード処理を施し、出力ビデオＯＶおよび出力オーディオＯＡが出力される。
一般に、ディジタルＶＴＲのエンコード処理およびデコード処理を示すＣＯＤＥＣは１フレームから数フレームにわたって行われるため入力から記録ヘッドまでと再生ヘッドから出力までには数フレームの時間差を生じる。
【００３１】
一方、図５はアナログＶＴＲの構成を示すブロック図である。
図５Ａはオーディオとビデオがドラム４２の記録ヘッドによりそれぞれ別のトラックを持って記録されている場合、図５ＢはＡＦＭ（オーディオ周波数変調）オーディオなどのようにオーディオをビデオに重畳回路４５により重畳してドラム４２の記録ヘッドによりテープ上に記録され、再生ヘッドにより再生されて分離回路４６により分離する場合のブロック図を示し、各処理ブロックはビデオ変調４０、オーディオ変調４１、ビデオ復調４３、オーディオ復調４４や分離回路４６のフィルタ処理など時間を要さないものである。
【００３２】
編集装置にとって重要な点は入力ビデオと出力ビデオの位相が一致することであり、これにより、精度の良い編集を行うことができる。アナログＶＴＲの場合、各プロセスの遅延がないため入力と出力の位相は必然的に一致する。すなわち、再生しているフレームが記録できるフレームと同じになる。一方、ディジタルＶＴＲでは上述したように、数フレームの遅延を生じるため、入出力の位相を合わせるには入力から記録ヘッドまでと再生ヘッドから出力までの遅延量の合計分だけドラム上に記録ヘッドに先行する再生ヘッドを配置する必要がある。
【００３３】
さて、プリリード編集は通常の編集とは異なり、再生した部分に加工を加えて磁気テープ上の同じ位置に再び記録するような編集をいう。図６はプリリード編集の一例を示す図である。例えば、図６において、人の名前５１などを後からテロップとして入力して元の画像として人の画像５０が記録されているテープ上に挿入して書き込むようなことをいう。これらを実現するためのプリリード編集時の接続システムを図７に示す。図７において、ＶＴＲ６０のビデオ出力から出力された画像はビデオエフェクター６２に供給されて画像効果処理を施された後にビデオ入力に戻され、オーディオ出力から出力された音はオーディオエフェクター・ミキサー６１に供給されて音響効果処理や合成処理を施された後にオーディオ入力に戻される。ＶＴＲ６０ではこのビデオ入力およびオーディオ入力を再生した位置に記録する必要がある。
【００３４】
上述したように、ディジタルＶＴＲのエンコード処理およびデコード処理は遅延が大きく、またアナログＶＴＲでは２〜４トラックで１フレームが構成されていたのに対して、ディジタルＶＴＲでは１０トラック以上であることも珍しくないため、プリリード編集の実現のためには膨大な先行量が必要となる。これにより、ヘッドの取り付け精度やテープ互換性などが問題となってくる。また、テープカセットの小型化によりテープ幅が狭くなり、ドラムの小型化が促進されると、ヘッド自体の取り付けや再生信号への記録信号のかぶり（クロストーク）などの対策も必要になってくる。
【００３５】
図８は、本実施の形態のディジタルＶＴＲでの応用例を示すブロック図である。
図８が図４と異なる点は、エラー訂正パリティ付加回路７２とドラム７４との間に記録メモリ７３を設け、ドラム７４とエラー訂正回路７６との間に再生メモリ７５を設けた点と、記録メモリ７３および再生メモリ７５とドラム７４の記録ヘッドおよび再生ヘッドによるテープへの情報の伝送速度を通常の入出力速度の４倍以上に設定している点である。ただし、このドラム７４は先行ヘッドを有しておらず、記録ヘッドおよび再生ヘッドのみで構成されている。
【００３６】
ドラム７４の記録ヘッドおよび再生ヘッドは、高速で記録メモリ７３および再生メモリ７５とアクセスするため、ドラム上では記録ヘッドまたは再生ヘッドによる記録または再生しか行われておらず、残りの空き時間で目的とする位置までテープをスキャンするようにしている。記録メモリ７３および再生メモリ７５のメモリの記録容量のサイズはこのスキャンの能力で決定される。
【００３７】
図９は本実施の形態のテープとメモリとのインターフェースを示す図である。
以下、図９に従ってその動作を説明する。
いま、主記録媒体上のＡ点を編集開始点、Ｂ点を編集終了点として、Ａ点からＣ点までをプリリード編集する。ここで、メモリの記録容量のサイズは再生側および記録側ともＡ点からＢ点までの１ブロックサイズの２倍で２バンク構成になっている。なお、Ａ点から見てＢ点はＣ点よりも手前である。
【００３８】
編集動作を開始すると、図９Ｂで示すテープスキャンにおいてＡ点からＢ点をスキャンして高速再生８３を行い、図９Ｃに示す再生メモリのバンク１に高速書き込み８４を行う。この高速書き込み８４の遅延時間ｎ後にＡ点からＢ点までの実時間かかって実時間再生８５されて図８に示したビデオエンコード処理回路７０、オーディオエンコード処理回路７１、エラー訂正パリティ付加回路７２でＡ点からＢ点までの記録データ生成２１が行われる。ＶＴＲの外部においてこのデータと入力データとの加工である外部効果処理８６が行われた後、ビデオエンコード処理回路７０、オーディオエンコード処理回路７１、エラー訂正パリティ付加回路７２による遅延時間ｍを経て図９Ｄに示す記録メモリのバンク１に実時間書き込み８７が行われる。
【００３９】
一方、図９Ｂに示すテープスキャンにおいて図９Ａで示す実時刻Ｂ点から再び高速スキャンをしてＣ点を超えて再生メモリの記録容量サイズ分のＤ点まで高速再生８８を行い、図９Ｃに示す再生メモリのバンク２に高速書き込み８９を行う。この高速書き込み８９の遅延時間ｎ後にバンク１のＡ点からＢ点までの実時間再生８５に続いてＢ点からＤ点までの実時間かかって実時間再生９０がされて図８に示したビデオエンコード処理回路７０、オーディオエンコード処理回路７１、エラー訂正パリティ付加回路７２でＡ点からＢ点までのデータが生成された後はバンク１からバンク２へ切り換えてＢ点からＤ点までの記録データ生成９１が行われる。
【００４０】
図９Ｂに示すテープスキャンにおいてＤ点までスキャンした後、Ａ点のプリロール点へ戻り、Ａ点へ向けて記録調相をし、図９Ｄに示す記録メモリのバンク１のＡ点からＢ点までの高速読みだし９２を行い、図９Ｂに示すテープスキャンにおいてＡ点からＢ点までの高速記録９３を行う。すなわち、記録メモリの１ブロックサイズ分だけ遅れてデータが記録されることが分かる。
【００４１】
図９Ｂに示すテープスキャンにおいてＢ点まで記録した後、図９Ｃに示す再生メモリのバンク１のデータ入力待機のため、Ｄ点のプリロール点に向けてスキャンし、Ｄ点からから再生メモリの１ブロックサイズ分進んだＥ点までを高速再生して、図９Ｃに示す再生メモリのバンク１へ高速書き込みを行う。その後、図９Ｂに示すテープスキャンにおいてＢ点のプリロール点に向かってスキャンし、実時間再生９０の後に外部効果処理を経て図９Ｄに示す記録メモリのバンク２にＢ点からＣ点までの実時間書き込み９４を行い、図９Ｄに示す記録メモリのバンク２のＢ点からＣ点までの高速読みだし９５を行い、図９Ｂに示すテープスキャンにおいてＢ点からＣ点までの高速記録９６を行う。
【００４２】
上述した動作でプリリード編集を実現することができるが、図９から分かるようにテープへの記録再生は高速ではあるが独立したタイミングで行われている。すなわち、プリリード用のヘッドを設けることなくデータの先読みが可能になるため、膨大な先行量に伴って要求される回転ドラム上でのヘッドの取り付け精度や記録信号と再生信号の相互のかぶりの問題を回避することができる。
【００４３】
また、編集のために調相動作が必要とされるが、テープに記録するタイミングを記録メモリを介して行うため、位相の微調整については記録メモリからの記録すべき信号の読み出しタイミングをコントロールすることで実現することができるので、編集応答性の向上を図ることができる。
【００４４】
さらに、テープ上のデータを高速でメモリに格納してしまうので、そのメモリからの読み出し方をコントロールすることで、ディジタルＶＴＲが不得手としている可変速再生を容易に実現することができる。また、可変速再生の範囲も高速転送であって倍速近くまでが可能となり、バイモルフによりドラムの上下方向に移動可能なダイナミックトラッキングヘッド（ＤＴヘッド）なみのクリアな可変速再生を提供することができる。
【００４５】
本実施の形態の記録再生装置は、主記録媒体２に記録された情報の再生信号を高速再生する再生手段と、上記再生手段により再生された再生信号を一時的に記録する再生側副記録手段としての第２記録媒体（再生ブロック）５と、上記再生側副記録手段に一時的に記録された再生信号を所定時間後に再生処理を施して出力信号として出力する再生処理手段としての再生プロセス３と、入力信号に記録処理を施して記録信号として出力する記録処理手段としての記録プロセス１と、上記記録処理が施された記録信号を一時的に記録する記録側副記録手段としての第２記録媒体（記録ブロック）４と、上記記録側副記録手段に一時的に記録された記録信号を所定時間後に主記録媒体に高速記録する記録手段とを備え、上記記録側副記録手段には、上記再生側副記録手段に一時的に記録された上記再生信号を、上記記録信号に替えてまたは上記記録信号と共に記録すべき信号として一時的に記録し、上記記録手段による上記主記録媒体への上記記録すべき信号の高速記録より前に、上記再生信号の終了点から続く所定時間分の再生信号を上記主記録媒体から再生手段により高速再生し、上記再生側副記録手段に一時的に記録して、上記記録側副記録手段を介して上記記録手段により上記主記録媒体上で編集するようにしたので、記録側副記録手段および再生側副記録手段と主記録媒体との間は高速度でアクセスできるので、実時間の編集より短い時間で主記録媒体にデータを転送することができ、このためにできた実時間に対しての空き時間を利用して主記録媒体を記録手段および再生手段がスキャンしている位置を移動させてプリリードのための時間を稼ぐことにより、先行量にかかわらないプリリード編集を行うことができる。
【００４６】
また、本実施の形態の記録再生装置は、上述において、上記再生側副記録手段としての第２記録媒体（再生ブロック）５への一時的記録のための上記再生手段による再生信号の高速再生、および上記記録側副記録手段としての第２記録媒体（記録ブロック）４に一時的に記録された記録信号の記録手段による主記録媒体への高速記録はそれぞれ標準速度の２倍を超えるものであるので、実時間に対しての２倍の空き時間を利用して主記録媒体を記録手段および再生手段がスキャンしている位置を移動させてプリリードのための時間を稼ぐことによって、上述した動作を繰り返すことにより、限られたメモリサイズでも長い間隔のプリリード編集を行うことができる。
【００４７】
また、本実施の形態の記録再生装置は、上述において、上記編集のための上記再生手段による上記再生信号の位相と上記記録手段による上記記録すべき信号の位相との調相を、上記再生側副記録手段としての第２記録媒体（再生ブロック）５および上記記録側副記録手段としての第２記録媒体（記録ブロック）４からの上記再生信号および上記記録すべき信号の読み出しタイミングで行うので、編集のための調相を上記再生側副記録手段および上記記録側副記録手段からの読み出しタイミングで代用することができ、従来の調相に要していた時間が不要になり、編集応答の早い記録再生装置を実現することができる。
【００４８】
また、本実施の形態の記録再生装置は、上述において、上記再生側副記録手段としての第２記録媒体（再生ブロック）５に対して再生信号を出力または入力する入出力端子、または上記記録側副記録手段としての第２記録媒体（記録ブロック）４に対して記録信号を入力または出力する入出力端子を設けるので、外部システムとの間で高速転送を容易に実現することができる。
【００４９】
また、本実施の形態の記録再生装置は、上述において、上記再生側副記録手段としての第２の記録媒体（再生ブロック）５および上記記録側副記録手段としての第２記録媒体（記録ブロック）４は第１の記録領域および第２の記録領域をそれぞれ有し、上記再生信号および上記再生信号の終了点から続く所定時間分の情報の再生信号をそれぞれ記録するので、交互に高速記録および高速読み出しの動作を繰り返すことにより、限られたメモリサイズでも主記録媒体上のスキャン時間を確保してプリリード編集を行うことができる。
【００５０】
また、本実施の形態の記録再生方法は、主記録媒体に記録された情報の再生信号を高速再生する再生ステップと、上記再生ステップにより再生された再生信号を一時的に記録する再生側副記録ステップと、上記再生側副記録ステップに一時的に記録された再生信号を所定時間後に再生処理を施して出力信号として出力する再生処理ステップと、入力信号に記録処理を施して記録信号として出力する記録処理ステップと、上記記録処理が施された記録信号を一時的に記録する記録側副記録ステップと、上記記録側副記録ステップに一時的に記録された記録信号を所定時間後に主記録媒体に高速記録する記録ステップと、を備え、上記記録側副記録ステップには、上記再生側副記録ステップに一時的に記録された上記再生信号を、上記記録信号に替えてまたは上記記録信号と共に記録すべき信号として一時的に記録し、上記記録ステップによる上記主記録媒体への上記記録すべき信号の高速記録より前に、上記再生信号の終了点から続く所定時間分の再生信号を上記主記録媒体から再生手段により高速再生し、上記再生側副記録手段に一時的に記録して、上記記録側副記録ステップを介して上記記録ステップにより上記主記録媒体上で編集するようにしたので、記録側副記録手段および再生側副記録手段と主記録媒体との間は高速度でアクセスできるので、実時間の編集より短い時間で主記録媒体にデータを転送することができ、このためにできた実時間に対しての空き時間を利用して主記録媒体を記録ステップおよび再生ステップがスキャンしている位置を移動させてプリリードのための時間を稼ぐことにより、先行量にかかわらないプリリード編集を行うことができる。
【００５１】
また、本実施の形態の記録再生方法は、上述において、上記再生側副記録ステップへの一時的記録のための上記再生ステップによる再生信号の高速再生、および上記記録側副記録ステップに一時的に記録された記録信号の記録ステップによる主記録媒体への高速記録はそれぞれ標準速度の２倍を超えるものであるので、実時間に対しての２倍の空き時間を利用して主記録媒体を記録ステップおよび再生ステップがスキャンしている位置を移動させてプリリードのための時間を稼ぐことによって、上述した動作を繰り返すことにより、限られたメモリサイズでも長い間隔のプリリード編集を行うことができる。
【００５２】
また、本実施の形態の記録再生方法は、上述において、上記編集のための上記再生ステップによる上記再生信号の位相と上記記録ステップによる上記記録すべき信号の位相との調相を、上記再生側副記録ステップおよび上記記録側副記録ステップからの上記再生信号および上記記録すべき信号の読み出しタイミングで行うようにしたので、編集のための調相を上記再生側副記録ステップおよび上記記録側副記録ステップからの読み出しタイミングで代用することができ、従来の調相に要していた時間が不要になり、編集応答の早い記録再生処理を実現することができる。
【００５３】
また、本実施の形態の記録再生方法は、上述において、上記再生側副記録ステップに対して再生信号を出力または入力し、または上記記録側副記録ステップに対して記録信号を入力または出力するようにしたので、外部システムとの間で高速転送を容易に実現することができる。
【００５４】
また、本実施の形態の記録再生方法は、上述において、上記再生側副記録ステップおよび上記記録側副記録ステップは第１の記録領域および第２の記録領域をそれぞれ有し、上記再生信号および上記再生信号の終了点から続く所定時間分の情報の再生信号をそれぞれ記録するようにしたので、交互に高速記録および高速読み出しの動作を繰り返すことにより、限られたメモリサイズでも主記録媒体上のスキャン時間を確保してプリリード編集を行うことができる。
【００５５】
また、ディジタルＶＴＲなどでは複数トラックにデータを分散記録するために、ジョグ、スロー、サーチ、という可変速再生を高品位に実現するには分散化しているデータをできるだけ多く拾い集める必要があるが、本実施の形態では、入出力が実時間で処理されるのに対して、主記録媒体とのアクセスはその２倍以上の高速度で行うため、実時間との差分の空き時間をスキャン時間に当てることにより、多くのスキャンを可能にするため、ジョグ、スロー、サーチ等の再生を高品位に実現することができる。
【００５６】
【発明の効果】
本発明の記録再生装置は、主記録媒体に記録された情報の再生信号を高速再生する再生手段と、上記再生手段により再生された再生信号を一時的に記録する再生側副記録手段と、上記再生側副記録手段に一時的に記録された再生信号を所定時間後に再生処理を施して出力信号として出力する再生処理手段と、入力信号に記録処理を施して記録信号として出力する記録処理手段と、上記記録処理が施された記録信号を一時的に記録する記録側副記録手段と、上記記録側副記録手段に一時的に記録された記録信号を所定時間後に主記録媒体に高速記録する記録手段とを備え、上記記録側副記録手段には、上記再生側副記録手段に一時的に記録された上記再生信号を、上記記録信号に替えてまたは上記記録信号と共に記録すべき信号として一時的に記録し、上記記録手段による上記主記録媒体への上記記録すべき信号の高速記録より前に、上記再生信号の終了点から続く所定時間分の再生信号を上記主記録媒体から再生手段により高速再生し、上記再生側副記録手段に一時的に記録して、上記記録側副記録手段を介して上記記録手段により上記主記録媒体上で編集するようにしたので、記録側副記録手段および再生側副記録手段と主記録媒体との間は高速度でアクセスできるので、実時間の編集より短い時間で主記録媒体にデータを転送することができ、このためにできた実時間に対しての空き時間を利用して主記録媒体を記録手段および再生手段がスキャンしている位置を移動させてプリリードのための時間を稼ぐことにより、先行量にかかわらないプリリード編集を行うことができるという効果を奏する。
【００５７】
また、本発明の記録再生装置は、上述において、上記再生側副記録手段への一時的記録のための上記再生手段による再生信号の高速再生、および上記記録側副記録手段に一時的に記録された記録信号の記録手段による主記録媒体への高速記録はそれぞれ標準速度の２倍を超えるものであるので、実時間に対しての２倍の空き時間を利用して主記録媒体を記録手段および再生手段がスキャンしている位置を移動させてプリリードのための時間を稼ぐことによって、上述した動作を繰り返すことにより、限られたメモリサイズでも長い間隔のプリリード編集を行うことができるという効果を奏する。
【００５８】
また、本発明の記録再生装置は、上述において、上記編集のための上記再生手段による上記再生信号の位相と上記記録手段による上記記録すべき信号の位相との調相を、上記再生側副記録手段および上記記録側副記録手段からの上記再生信号および上記記録すべき信号の読み出しタイミングで行うので、編集のための調相を上記再生側副記録手段および上記記録側副記録手段からの読み出しタイミングで代用することができ、従来の調相に要していた時間が不要になり、編集応答の早い記録再生装置を実現することができるという効果を奏する。
【００５９】
また、本発明の記録再生装置は、上述において、上記再生側副記録手段に対して再生信号を出力または入力する入出力端子、または上記記録側副記録手段に対して記録信号を入力または出力する入出力端子を設けるので、外部システムとの間で高速転送を容易に実現することができるという効果を奏する。
【００６０】
また、本発明の記録再生装置は、上述において、上記再生側副記録手段および上記記録側副記録手段は第１の記録領域および第２の記録領域をそれぞれ有し、上記再生信号および上記再生信号の終了点から続く所定時間分の情報の再生信号をそれぞれ記録するので、交互に高速記録および高速読み出しの動作を繰り返すことにより、限られたメモリサイズでも主記録媒体上のスキャン時間を確保してプリリード編集を行うことができるという効果を奏する。
【００６１】
また、本発明の記録再生方法は、主記録媒体に記録された情報の再生信号を高速再生する再生ステップと、上記再生ステップにより再生された再生信号を一時的に記録する再生側副記録ステップと、上記再生側副記録ステップに一時的に記録された再生信号を所定時間後に再生処理を施して出力信号として出力する再生処理ステップと、入力信号に記録処理を施して記録信号として出力する記録処理ステップと、上記記録処理が施された記録信号を一時的に記録する記録側副記録ステップと、上記記録側副記録ステップに一時的に記録された記録信号を所定時間後に主記録媒体に高速記録する記録ステップと、を備え、上記記録側副記録ステップには、上記再生側副記録ステップに一時的に記録された上記再生信号を、上記記録信号に替えてまたは上記記録信号と共に記録すべき信号として一時的に記録し、上記記録ステップによる上記主記録媒体への上記記録すべき信号の高速記録より前に、上記再生信号の終了点から続く所定時間分の再生信号を上記主記録媒体から再生手段により高速再生し、上記再生側副記録手段に一時的に記録して、上記記録側副記録ステップを介して上記記録ステップにより上記主記録媒体上で編集するようにしたので、記録側副記録手段および再生側副記録手段と主記録媒体との間は高速度でアクセスできるので、実時間の編集より短い時間で主記録媒体にデータを転送することができ、このためにできた実時間に対しての空き時間を利用して主記録媒体を記録ステップおよび再生ステップがスキャンしている位置を移動させてプリリードのための時間を稼ぐことにより、先行量にかかわらないプリリード編集を行うことができるという効果を奏する。
【００６２】
また、本発明の記録再生方法は、上述において、上記再生側副記録ステップへの一時的記録のための上記再生ステップによる再生信号の高速再生、および上記記録側副記録ステップに一時的に記録された記録信号の記録ステップによる主記録媒体への高速記録はそれぞれ標準速度の２倍を超えるものであるので、実時間に対しての２倍の空き時間を利用して主記録媒体を記録ステップおよび再生ステップがスキャンしている位置を移動させてプリリードのための時間を稼ぐことによって、上述した動作を繰り返すことにより、限られたメモリサイズでも長い間隔のプリリード編集を行うことができるという効果を奏する。
【００６３】
また、本発明の記録再生方法は、上述において、上記編集のための上記再生ステップによる上記再生信号の位相と上記記録ステップによる上記記録すべき信号の位相との調相を、上記再生側副記録ステップおよび上記記録側副記録ステップからの上記再生信号および上記記録すべき信号の読み出しタイミングで行うようにしたので、編集のための調相を上記再生側副記録ステップおよび上記記録側副記録ステップからの読み出しタイミングで代用することができ、従来の調相に要していた時間が不要になり、編集応答の早い記録再生処理を実現することができるという効果を奏する。
【００６４】
また、本発明の記録再生方法は、上述において、上記再生側副記録ステップに対して再生信号を出力または入力し、または上記記録側副記録ステップに対して記録信号を入力または出力するようにしたので、外部システムとの間で高速転送を容易に実現することができるという効果を奏する。
【００６５】
また、本発明の記録再生方法は、上述において、上記再生側副記録ステップおよび上記記録側副記録ステップは第１の記録領域および第２の記録領域をそれぞれ有し、上記再生信号および上記再生信号の終了点から続く所定時間分の情報の再生信号をそれぞれ記録するようにしたので、交互に高速記録および高速読み出しの動作を繰り返すことにより、限られたメモリサイズでも主記録媒体上のスキャン時間を確保してプリリード編集を行うことができるという効果を奏する。
【図面の簡単な説明】
【図１】本実施の形態の一般的なプリリード編集が可能な記録再生装置の構成を示すブロック図である。
【図２】本実施の形態の記録再生装置の構成を示すブロック図である。
【図３】本実施の形態の主記録媒体と第２記録媒体とのインターフェースを示す図であり、図３Ａは処理時刻、図３Ｂは主記録媒体、図３Ｃは第２記録媒体（再生ブロック）、図３Ｄは第２記録媒体（記録ブロック）である。
【図４】本実施の形態のディジタルＶＴＲの構成を示すブロック図である。
【図５】本実施の形態のアナログＶＴＲの構成を示すブロック図であり、図５Ａはオーディオとビデオがそれぞれ別のトラックを持って記録されている場合、図５ＢはＡＦＭオーディオなどビデオに重畳する場合である。
【図６】本実施の形態のプリリード編集の一例を示す図である。
【図７】本実施の形態のプリリード編集時の接続システムを示す図である。
【図８】本実施の形態のディジタルＶＴＲでの応用例の構成を示すブロック図である。
【図９】本実施の形態のテープとメモリとのインターフェースを示す図であり、図９Ａは処理時刻、図９Ｂはテープスキャン、図９Ｃは再生メモリ、図９Ｄは記録メモリである。
【符号の説明】
１……記録プロセス、２……主記録媒体、３……再生プロセス、４……第２記録媒体（記録ブロック）、５……第２記録媒体（記録ブロック）、１０、１１、１２……第２記録媒体１ブロックのサイズ、１３……高速再生、１４……高速書き込み、１５……実時間再生、１６……再生出力記録フィードバック、１７……実時間書き込み、１８……高速再生、１９……高速書き込み、２０……実時間再生、２１……記録データ生成、２２……高速読みだし、２３……高速記録、２４……実時間書き込み、２５……高速読みだし、２６……高速記録、３０……ビデオエンコード処理回路、３１……オーディオエンコード処理回路、３２……エラー訂正パリティ付加回路、３３……ドラム、３４……エラー訂正回路、３５……ビデオデコード処理回路、３６……オーディオデコード処理回路、４０……ビデオ変調回路、４１……オーディオ変調回路、４２……ドラム、４３……ビデオ復調回路、４４……オーディオ復調回路、４５……重畳回路、４６……分離回路、５０……人の画像、５１……人の名前のテロップ、６０……ＶＴＲ、６１……オーディオエフェクター・ミキサー、６２……ビデオエフェクター、７０……ビデオエンコード処理回路、７１……オーディオエンコード処理回路、７２……エラー訂正パリティ付加回路、７３……記録メモリ、７４……ドラム、７５……再生メモリ、７６……エラー訂正回路、７７……ビデオデコード処理回路、７８……オーディオデコード処理回路、８０、８１、８２……メモリ１ブロックのサイズ、８３……高速再生、８４……高速書き込み、８５……実時間再生、８６……外部効果処理、８７……実時間書き込み、８８……高速再生、８９……高速書き込み、９０……実時間再生、９１……記録データ生成、９２……高速読みだし、９３……高速記録、９４……実時間書き込み、９５……高速読みだし、９６……高速記録、
【図１】
0003991467.tif 000002
【図２】
0003991467.tif 000003
【図３】
0003991467.tif 000004
【図４】
0003991467.tif 000005
【図５】
0003991467.tif 000006
【図６】
0003991467.tif 000007
【図７】
0003991467.tif 000008
【図８】
0003991467.tif 000009
【図９】
0003991467.tif 000010